(57)【要約】【課題】景品自体が有価物であることは勿論のこと、交換したお客自身が使用して楽しむことができるばかりか、神格の向上、風紀の確立、教育の向上などにも役立つパチンコ等の景品並びにその景品の流通システムを提供する。【解決手段】本発明であるパチンコ等の景品は、ゲーム、動画、音楽、文学などの著作物を電子化した著作物データ情報および前記著作物データ情報についての使用の有無を確認するための使用確認情報を記録した情報記録媒体からなることを特徴とする。【選択図】図１
2010268988.tif 000002
【特許請求の範囲】
【請求項１】
ゲーム、動画、音楽、文学などの著作物を電子化した著作物データ情報および前記著作物データ情報についての使用の有無を確認するための使用確認情報を記録した記録部を有する情報記録媒体からなることを特徴とするパチンコ等の景品。
【請求項２】
前記情報記録媒体がＩＣカードであることを特徴とする請求項１に記載のパチンコ等の景品。
【請求項３】
前記著作物データ情報を記録した記録部が前記ＩＣカード表面に付設されたもう１つの記録部に記録されているとともにシール部材により被覆されている請求項２に記載のパチンコ等の景品。
【請求項４】
前記情報記録媒体が交換価値を示す情報を記録していることを特徴とする請求項１，２または３に記載のパチンコ等の景品流通システム。
【請求項５】
前記情報記録媒体が記録されている著作権データの内容等が少なくとも表面に表示されていることを特徴とする請求項１，２，３または４に記載のパチンコ等の景品流通システム。
【請求項６】
前記請求項１に記載したパチンコ等の景品を用いた流通システムであって、顧客が得た貸し玉等と前記景品とを等価において自動的に交換するパチンコ店等に配置された景品交換機と、前記交換した景品についての正否、景品に記録されている著作物データの有無、並びに対価、使用の有無を確認するための使用確認情報を確認する景品交換所に配置された情報読み取り機と、景品製造検査業者に配置されて前記景品が使用済みか否かを確認する景品検査機とからなり、前記パチンコ店等に配置された景品交換機により顧客が得た貸し玉等と交換した景品を、景品交換所に配置された情報読み取り機により読み取って景品に記録されている著作物データの有無、並びに対価を確認するとともに確認後に景品に記憶されている著作物データ情報に応じて対価を顧客に支払うとともに景品製造検査業者に渡して、これを前記景品製造検査業者が景品製造検査機により著作物データを記憶させた未使用のカード型景品として、これを景品卸売業者を介してまたは直接前記パチンコ店等に景品として販売することを特徴とするパチンコ等の景品流通システム。
【発明の詳細な説明】
【技術分野】
【０００１】
本発明は、例えばパチンコやパチスロ等の遊技場であるパチンコ店等で獲得することができる景品およびその流通システムに関するものであり、他の各種ゲームなどにも適用できるものである。
【背景技術】
【０００２】
従来から、パチンコやパチスロ等の遊技場であるパチンコ店においては遊技により顧客が得た貸し玉や貸しメタル等に応じた景品を獲得することが可能であり興味あるものとなっている。
【０００３】
ところで、パチンコ店等の営業を司るパチンコ店の営業については「風俗営業等の規制及び業務の適正化に関する法律」が適用されており、特に、同第２３条第１項第１号に、「現金又は有価証券を景品とする商品としてはならないこと、が同第２号には「客に提供した商品を買い取ることを禁止」している。そのため、前記景品は例えば菓子や日用品、身の回品のよう顧客自身が消費し或いは使用するものに限られるが、所定の景品交換所において現金に交換される景品が存在しているのが現状であり、このような特殊な景品が存在することがパチンコなどの人気を集めている要因の１つでもある。
【０００４】
そして、前記特殊な景品として、例えばケースに収容したペン等が用いられていたが管理や運搬に適していないため、近頃は合成樹脂製のカードにペンダントや貴金属などの有価物を封入した換金カードが用いられており、さらにセキュリティや管理に優れたものとして例えば特開平６−７９９９３号公報のようにセンサーで確認できるパターンを設けたもの等か知られている。
【０００５】
しかしながら、前記従来のカード形の景品はカードの不正、偽造、有価物の抜き取りなどにより不正が生じている。
【０００６】
また、前記機従来の特殊景品の流通システムは明確でなく、特に、景品交換所で買い取った前記従来の特別な景品はそれらを発行したパチンコ店等以外の者により買い取られることはなく、再びパチンコ店等が買い取いとるという違法行為が必然的に行われている。
【先行技術文献】
【特許文献】
【０００７】
【特許文献１】特開平６−７９９９３号公報
【発明の概要】
【発明が解決しようとする課題】
【０００８】
本発明は前記課題を解決するためになされたものであり、それ自体が有価物であることは勿論のこと、交換したお客自身が使用して楽しむことができるばかりか、神格の向上、風紀の確立、教育の向上などにも役立つパチンコ等の景品並びにその景品の流通システムを提供するものである。
【課題を解決するための手段】
【０００９】
前記課題を解決するためになされた本発明であるパチンコ等の景品は、ゲーム、動画、音楽、文学などの著作物を電子化した著作物データ情報および前記著作物データ情報についての使用の有無を確認するための使用確認情報を記録した情報記録媒体からなることを特徴とする。
【００１０】
本発明であるパチンコ等の景品は、ゲーム、動画、音楽、文学などの著作物を電子化した著作物データ情報であることから、有価であることはいうまでもなく、著作物データ情報の内容は無数であることから、従来の特殊景品のように換金目的だけでなくお客自身が使用するための景品としての価値もあり、さらに通常の知的著作物と同様に社会、文化、技術などの発展等に寄与することができる。
【００１１】
また、本発明における景品である著作物データ情報はＩＣカードのような電子的なものであり、記憶装置に書き換え可能な個別の識別ＩＤを有している場合のように高度のセキュリティ機能を付加することが可能であるばかりか景品が前記記憶装置に交換価値を示す情報が記録されている場合のように電子的な管理も簡単に行うことができる。さらに、前記著作物データ情報を記録した記録部が前記ＩＣカード表面に付設されたもう１つの記録部に記録されているとともにシール部材により被覆されている場合にはより簡単な構造で著作物データの記憶並びに使用の有無の判断が可能である。
【００１２】
さらにまた、本発明において、前記景品が少なくとも表面に記録されている著作権データの内容、等が表示されている場合には記録されている情報の内容や交換価値が目視により確認できるのできわめて便利である。
【００１３】
加えて、本発明であるパチンコ等の景品流通システムは、前記請求項１に記載したパチンコ等の景品を用いた流通システムであって、顧客が得た貸し玉等と前記景品とを等価において自動的に交換するパチンコ店等に配置された景品交換機と、前記交換した景品についての正否、景品に記録されている著作物データの有無、並びに対価、使用の有無を確認するための使用確認情報を確認する景品交換所に配置された情報読み取り機と、景品製造検査業者に配置されて前記景品が使用済みか否かを確認する景品検査機とからなり、前記パチンコ店等に配置された景品交換機により顧客が得た貸し玉等と交換した景品を、景品交換所に配置された情報読み取り機により読み取って景品に記録されている著作物データの有無、並びに対価を確認するとともに確認後に景品に記憶されている著作物データ情報に応じて対価を顧客に支払うとともに景品製造検査業者に渡して、これを前記景品製造検査業者が景品製造検査機により著作物データを記憶させた未使用のカード型景品として、これを景品卸売業者を介してまたは直接前記パチンコ店等に景品として販売することを特徴とするものであり、風営法に違反しないことはいうまでもなく、景品の新規導入並びに再生も簡単できわめて有効である。
【発明の効果】
【００１４】
本発明であるパチンコなどの景品は、有価であることはいうまでもなく、著作物データ情報の内容は無数であることから、従来の特殊景品のように換金目的だけでなくお客自身が使用するための景品としての価値もあり、また、内容の変更や多数の有価の種類も簡単に設定できるばかりか、貸し玉との換金、価値の判断、使用の有無の確認、再生などを全て電子機器によりきわめて迅速に処理することができ、また、セキュリティ効果も高い。
【００１５】
また、景品の交換価値の部分は主として著作物であり、社会、文化、技術などの発展等に寄与することもできる。
【図面の簡単な説明】
【００１６】
【図１】本発明であるパチンコなどの景品の一実施の形態を示す概略図。
【図２】本発明であるパチンコなどの景品の流通システムの概略図。
【図３】本発明であるパチンコなどの景品の異なる実施の形態を示す概略図。
【発明を実施するための形態】
【００１７】
次に、本発明の実施の形態について図面を参照して説明する。
【００１８】
図１は本発明であるパチンコなどの景品についての好ましい実施の形態を示すものであり、景品１は、例えば無接触式のＩＣカードであって、ゲーム、動画、音楽、文学などの著作物を電子化した著作物データ情報を記録するための記録部２１と微弱な通信に適した送受信部２２と制御部２３を有する制御装置２を内蔵したものであり、記録部２１に、例えば景品の正否を確認するための書き換え可能な個別の識別ＩＤ、使用状態を確認するための情報、著作権の内容や価格（交換価値）を示す情報等も記録されている。尚、本発明において景品１である情報記録媒体としてＩＣカードを用いたが、従来知られている各種の情報記録媒体を用いてもよいことはいうまでもない。
【００１９】
また、景品１の少なくとも表面に記録されている著作権データの内容等が表示されて記録されている著作物の種類や内容の概要が外部から視認できるようになっている。
【００２０】
図２は前記景品１を用いたパチンコ店について流通システムの一例を示すものであり、初めにパチンコ店３は例えば卸売り業者６または景品製造検査業者５から図１に示したゲーム、動画、音楽、文学などの著作物を電子化した著作物データ情報を記録した未使用の景品１を購入する。
【００２１】
そして、パチンコ店３において景品交換機３１により顧客が得た貸し玉等と前記景品とを交換する。この景品はゲーム、動画、音楽、文学などの著作物を電子化した著作物データ情報を記録したものであり、多数種類を用意しておくことにより顧客が希望のものを獲得した貸し玉に応じて等価にて交換できる。
【００２２】
勿論、記録されている著作物は通常流通しているものと同様に市販のパソコン、音楽再生機、画像再生機、ゲーム機などにより再生可能なものであり、顧客が自身で使用することやそのまま所持することもできる。この使用したか否かは前記図１に示した記憶部２１に記憶させてある使用状態を示す情報が自動的に書き換えられる。
【００２３】
そして、顧客が換金したい場合には、前記パチンコ店３により交換した景品を景品交換所４に持ち込み、情報読み取り機４１により景品の正否、景品に記録されている著作物や交換価値情報を情報読み取り機により読み取って、買い取る。
【００２４】
そして、買い取った景品は、パチンコ店等へ景品を納品することを契約してある特定の景品製造検査業者５に買い取られ、景品景品製造検査機５１により使用の有無を確認するための使用確認情報を検査して使用済みか否かや記憶されている著作物を含めた情報が正常か否かを確認するとともに使用してある場合には、使用確認情報を未使用に書き直し、情報が正常でない場合には書き直して再度、所定の景品を製造し、これをパチンコ店３に直接または景品卸売り業者６を介して買い取ってもらう。
【００２５】
このように本流通システムによれば、パチンコ店３により交換された景品は少なくとも景品交換所４や景品製造検査業者５においてパチンコ店３において交換された景品とは異なる商品となってパチンコ店３に買い取られるものであり、カードやそれらの部品などは同一のものであっても交換価値を発揮する著作権に関する情報については新たな著作物を記録した新規な商品となり、従来、違法とされているパチンコ店が交換した景品をそのまま買い戻すことはなく風営法に違反することもない。
【００２６】
勿論、景品製造検査業者５が景品に記録する著作物につきそれぞれ著作権者に著作権使用料を支払う。
【００２７】
以上のように、本発明であるパチンコ等の景品は、嵩張ることがなく多量の運搬にも適しているばかりか、交換価値も著作物であってそれ自身にも使用価値があり、さらに、交換価値も高く、著作物の利用を広く図って文化の発展などに寄与することもでき、特に、電子的に処理や電子的なセキュリティなども簡単に行うことができ、きわめて有効である。
【００２８】
図３は本発明である景品の異なる実施の形態を示すものであり、全体の構成は前記図１に示したものとほぼ同様であるが、前記著作物データ情報を記録した記録部が前記ＩＣカードに設けられた記録部２（図１参照）に表面に形成した凹部に付設されたもう１つの記録部７に記録されているとともにシール部材８により被覆されている点が異なる。
【００２９】
本実施の形態によれば、著作物データ情報を記録する記録部７をＩＣカードと別にしたので製造が容易であり、また、記録部７を大容量として記録させることもでき、更に使用するときにはシールが剥がれるので一目で使用の有無が確認でき、さらに、記録部７を用いることにより予め時間を要する読み込み作業を行っておけるという利点もある。
【符号の説明】
【００３０】
１  景品、３  パチンコ店、４  景品交換所、５  景品製造検査業者、７  記録部、９  シール、３１  景品交換機、４１  情報読み取り機、５１  景品再生機
【図１】
2010268988.tif 000003
【図２】
2010268988.tif 000004
【図３】
2010268988.tif 000005